(57)【特許請求の範囲】
【請求項１】
特典を付与する特定の番組の放送ならびに前記特定の番組が放送されるチャンネルおよび時間帯と前記特典の応募期間とを含む付加情報の放送を行う放送手段を有する第１装置と、
前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システム。
【請求項２】
前記ＩＤは、それに対して所定の演算を施すことにより前記受信時間または前記有効期限が逆算して得られるものである請求項１に記載の番組配信システム。
【請求項３】
特典を付与する特定の番組の放送ならびに前記特典の応募期間を含む付加情報の放送を行う放送手段を有する第１装置と、
前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記再生時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システム。
【請求項４】
前記ＩＤは、それに対して所定の演算を施すことにより前記再生時間または前記有効期限が逆算して得られるものである請求項３に記載の番組配信システム。
【請求項５】
前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする請求項３に記載の番組配信システム。
【請求項６】
特典を付与する特定の番組ならびに前記特典の応募期間を含む付加情報が記録された記録媒体を再生する再生手段と
前記再生手段が前記特定の番組を再生した再生時間と前記応募期間とから、前記特典の有効期限を演算する有効期間演算手段と、
前記再生時間または前記有効期限に基づき前記特典を得るためのＩＤを算出するＩＤ算出手段と、少なくとも前記有効期限を含む前記特典に関する情報を表示させる表示手段とを備えた番組再生装置。
【請求項７】
前記ＩＤは、それに対して所定の演算を施すことにより前記再生時間または前記有効期限が逆算して得られるものである請求項６に記載の番組再生装置。
【請求項８】
前記表示手段は、前記ＩＤも表示させることができる請求項６に記載の番組再生装置。
【請求項９】
第２装置が受信する、特典を付与する特定の番組の放送ならびに前記特定の番組が放送されるチャンネルおよび時間帯と前記特典の応募期間とを含む付加情報の放送を行う放送手段を備えた第１装置であって、
前記第２装置は、前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置。
【請求項１０】
前記第２装置から前記ＩＤを受けて、前記受信時間または前記有効期限を逆算する逆算手段を備えた請求項９に記載の第１装置。
【請求項１１】
第２装置が受信する、特典を付与する特定の番組の放送ならびに前記特典の応募期間を含む付加情報の放送を行う放送手段を備えた第１装置であって、
前記第２装置は、前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置。
【請求項１２】
前記第２装置から前記ＩＤを受けて、前記再生時間または前記有効期限を逆算する逆算手段を備えた請求項１１に記載の第1装置。
【請求項１３】
前記付加情報の放送は、前記特定の番組の最初の放送日時までに行われる請求項９または１１に記載の第１装置。
【請求項１４】
前記記録媒体に記録された付加情報には、前記特定の番組が再生されるべき期間が含まれ、
前記有効期間演算手段は、再生手段が前記特定の番組を再生した時間が前記特定の番組が再生されるべき期間に含まれていると判断した場合に、前記有効期限を演算する請求項６に記載の番組再生装置。
【請求項１５】
特典を付与する特定の番組の放送ならびに前記特定の番組が放送されるチャンネルおよび時間帯と前記特典の応募期間とを含む付加情報の放送を行う放送手段を有する第１装置から放送される、前記特定の番組ならびに前記付加情報を受信する第２装置であって、
前記放送を受信して、前記付加情報を記憶するメモリ手段と、
前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、
前記チェックの結果、前記特定の番組を受信していると判断した場合は、その受信時間と前記メモリ手段に記憶された付加情報の応募期間とから、前記特典の有効期限を演算する有効期間演算手段と、
前記受信時間または前記有効期限に基づき前記特典を得るためのＩＤを算出するＩＤ算出手段と、
少なくとも前記有効期限を含む前記特典に関する情報を表示させる表示手段とを備えた第２装置。
【請求項１６】
前記ＩＤは、それに対して所定の演算を施すことにより前記受信時間または前記有効期限が逆算して得られるものである請求項１５に記載の第２装置。
【請求項１７】
特典を付与する特定の番組の放送ならびに前記特典の応募期間を含む付加情報の放送を行う放送手段を有する第１装置から放送される、前記特定の番組ならびに前記付加情報を受信する第２装置であって、
前記放送を受信して、前記付加情報を記憶するメモリ手段と、
前記放送を受信して、前記特定の番組を記録する記録手段と、
前記記録された特定の番組が再生されているかどうかをチェックするチェック手段と、
前記チェックの結果、前記特定の番組を再生していると判断した場合は、その再生時間と前記メモリ手段に記憶された前記付加情報の応募期間とから、前記特典の有効期限を演算する有効期間演算手段と、
前記再生時間または前記有効期限に基づき前記特典を得るためのＩＤを算出するＩＤ算出手段と、
少なくとも前記有効期限を含む前記特典に関する情報を表示させる表示手段とを備えた第２装置。
【請求項１８】
前記ＩＤは、それに対して所定の演算を施すことにより前記再生時間または前記有効期限が逆算して得られるものである請求項１７に記載の第２装置。
【請求項１９】
前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする請求項１７に記載の第２装置。
【請求項２０】
前記表示手段は、前記ＩＤも表示させることができる請求項１５または１７に記載の第２装置。
【請求項２１】
特典を付与する特定の番組の放送ならびに前記特定の番組が放送されるチャンネルおよび時間帯と前記特典の応募期間とを含む付加情報の放送を行う放送工程と、
前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組配信方法。
【請求項２２】
前記ＩＤは、それに対して所定の演算を施すことにより前記受信時間または前記有効期限が逆算して得られるものである請求項２１に記載の番組配信方法。
【請求項２３】
特典を付与する特定の番組の放送ならびに前記特典の応募期間を含む付加情報の放送を行う放送工程と、
前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組配信方法。
【請求項２４】
前記ＩＤは、それに対して所定の演算を施すことにより前記再生時間または前記有効期限が逆算して得られるものである請求項２３に記載の番組配信方法。
【請求項２５】
特典を付与する特定の番組ならびに前記特典の応募期間を含む付加情報が記録された記録媒体を再生する再生工程と
前記特定の番組を再生した再生時間と前記応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法。
【請求項２６】
前記ＩＤは、それに対して所定の演算を施すことにより前記再生時間または前記有効期限が逆算して得られるものである請求項２５に記載の番組再生方法。
【請求項２７】
特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組受信方法。
【請求項２８】
特典を付与する特定の番組の放送ならびに前記特典の応募期間を含む付加情報の放送を行う放送手段を有する第１装置からの前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法。
【請求項２９】
請求項２５に記載の番組再生方法の、特典を付与する特定の番組ならびに前記特典の応募期間を含む付加情報が記録された記録媒体を再生する前記再生工程と、前記特定の番組を再生した再生時間と前記応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラム。
【請求項３０】
請求項２７に記載の番組受信方法の、特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する前記記憶工程と、前記特定の番組が受信されているかどうかを、現在受信している番組のチャンネルと時間帯とが前記記憶された付加情報のチャンネルおよび時間帯と一致するかどうかでチェックする前記チェック工程と、前記チェックの結果、前記特定の番組を受信していると判断した場合は、その受信時間と前記記憶された付加情報の応募期間とから、前記特典の有効期限を演算する前記有効期間演算工程と、前記受信時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラム。
【請求項３１】
請求項２８に記載の番組再生方法の、特典を付与する特定の番組の放送ならびに前記特典の応募期間を含む付加情報の放送を行う放送手段を有する第１装置からの前記放送を受信して、前記付加情報を記憶する前記記憶工程と、前記放送を受信して、前記特定の番組を記録する前記記録工程と、前記記録された特定の番組が再生されているかどうかをチェックする前記チェック工程と、前記チェックの結果、前記特定の番組を再生していると判断した場合は、その再生時間と前記記憶された付加情報の応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラム。
【請求項３２】
請求項２９から３１のいずれかに記載のプログラムを記録した記録媒体であって、コンピュータにより処理可能な記録媒体。
【発明の詳細な説明】
【０００１】
【発明の属する技術分野】
本発明は、例えば懸賞付き広告情報のような、特典を付与された特定の番組を配信する番組配信システム等に関する。
【０００２】
【従来の技術】
従来より、放送やインターネットにおいては、視聴者に対し、広告情報を放送・表示することによって、放送業者等の、放送やインターネットの情報提供側が、広告を出稿する広告主から広告料金を徴収するビジネスが成立している。
【０００３】
さらに、広告情報の中には、視聴者の関心を引きつけるために、懸賞が付与されているものもあり、視聴者は、広告情報を見て、そこに記載された特定の宛先に郵便や電子メール等の応募手段にて応募することにより、懸賞の商品を得ることができる。
【０００４】
このような懸賞が付与された広告情報は、宣伝効果が大きく、広告としての価値も高いため、用いられる頻度も増えるものと期待される。
【０００５】
【発明が解決しようとする課題】
しかしながら、これらの広告情報は、広告主が作成、もしくは提供した内容を、広告主が指示する期限に従って、全視聴者に対して画一的に放送、表示を行うようにしている。
【０００６】
このような広告情報に懸賞付きキャンペーンを行った場合、以下のような不具合が生ずる恐れがある。
【０００７】
今、広告情報としてテレビＣＭ、広告情報の提供者としてテレビ放送局を考える。さらにテレビＣＭは、懸賞付きキャンペーンと連動しており、視聴者が所定の締め切りにまで応募すると商品がプレゼントされる、という内容のものであるとする。また、テレビＣＭは、その放送期間、開始の時期、終了の時期、および懸賞付きキャンペーンの応募締め切りが、前もって全て定められているものとする。
【０００８】
このような懸賞が付与されたＣＭは、図６に示すように、ＣＭ放送の開始時期が始まって直後にＣＭを視聴した視聴者Ａに対しては、懸賞付きキャンペーンの締め切り日まで十分余裕があり、すなわち鮮度の高い情報として提供されているとともに、これはＣＭの付加価値が長期間保たれていることを意味する。
【０００９】
一方、ＣＭが始まってから、相当の日時が経過し、放送期間の終了間際にＣＭを初めて視聴した視聴者Ｂに対しては、懸賞付きキャンペーンの締め切り日まで時間が残されていない。したがってこの視聴者Ｂに対しては、情報の鮮度は低下し、ＣＭの付加価値はほとんどないことになる。
【００１０】
本発明は、上記の課題に鑑みてなされたものであり、視聴時間が異なる同一の番組を視聴する個々の視聴者に対して、番組の付加価値を公平に保つことが可能な番組配信システム等を提供することを目的とする。
【００１１】
【課題を解決するための手段】
上記の目的を達成するために、第１の本発明は、特典を付与する特定の番組の放送ならびに前記特定の番組が放送されるチャンネルおよび時間帯と前記特典の応募期間とを含む付加情報の放送を行う放送手段を有する第１装置と、
前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システムである。
【００１２】
また、第２の本発明は、前記ＩＤは、それに対して所定の演算を施すことにより前記受信時間または前記有効期限が逆算して得られるものである第１の本発明の番組配信システムである。
【００１３】
また、第３の本発明は、特典を付与する特定の番組の放送ならびに前記特典の応募期間を含む付加情報の放送を行う放送手段を有する第１装置と、
前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記再生時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システムである。
【００１４】
また、第４の本発明は、前記ＩＤは、それに対して所定の演算を施すことにより前記再生時間または前記有効期限が逆算して得られるものである第３の本発明の番組配信システムである。
【００１５】
また、第５の本発明は、前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする第３の本発明の番組配信システムである。
【００１６】
また、第６の本発明は、特典を付与する特定の番組ならびに前記特典の応募期間を含む付加情報が記録された記録媒体を再生する再生手段と
前記再生手段が前記特定の番組を再生した再生時間と前記応募期間とから、前記特典の有効期限を演算する有効期間演算手段と、
前記再生時間または前記有効期限に基づき前記特典を得るためのＩＤを算出するＩＤ算出手段と、少なくとも前記有効期限を含む前記特典に関する情報を表示させる表示手段とを備えた番組再生装置である。
【００１７】
また、第７の本発明は、前記ＩＤは、それに対して所定の演算を施すことにより前記再生時間または前記有効期限が逆算して得られるものである第６の本発明の番組再生装置である。
【００１８】
また、第８の本発明は、前記表示手段は、前記ＩＤも表示させることができる第６の本発明の番組再生装置である。
【００１９】
また、第９の本発明は、第２装置が受信する、特典を付与する特定の番組の放送ならびに前記特定の番組が放送されるチャンネルおよび時間帯と前記特典の応募期間とを含む付加情報の放送を行う放送手段を備えた第１装置であって、
前記第２装置は、前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置である。
【００２０】
また、第１０の本発明は、前記第２装置から前記ＩＤを受けて、前記受信時間または前記有効期限を逆算する逆算手段を備えた第９の本発明の第１装置である。
【００２１】
また、第１１の本発明は、第２装置が受信する、特典を付与する特定の番組の放送ならびに前記特典の応募期間を含む付加情報の放送を行う放送手段を備えた第１装置であって、
前記第２装置は、前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置である。
【００２２】
また、第１２の本発明は、前記第２装置から前記ＩＤを受けて、前記再生時間または前記有効期限を逆算する逆算手段を備えた第１２の本発明の第１装置である。
【００２３】
また、第１３の本発明は、前記付加情報の放送は、前記特定の番組の最初の放送日時までに行われる第９または第１１の本発明の第１装置である。
【００２４】
また、第１４の本発明は、前記記録媒体に記録された付加情報には、前記特定の番組が再生されるべき期間が含まれ、
前記有効期間演算手段は、再生手段が前記特定の番組を再生した時間が前記特定の番組が再生されるべき期間に含まれていると判断した場合に、前記有効期限を演算する第６の本発明の番組再生装置である。
【００２５】
また、第１５の本発明は、特典を付与する特定の番組の放送ならびに前記特定の番組が放送されるチャンネルおよび時間帯と前記特典の応募期間とを含む付加情報の放送を行う放送手段を有する第１装置から放送される、前記特定の番組ならびに前記付加情報を受信する第２装置であって、
前記放送を受信して、前記付加情報を記憶するメモリ手段と、
前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、
前記チェックの結果、前記特定の番組を受信していると判断した場合は、その受信時間と前記メモリ手段に記憶された付加情報の応募期間とから、前記特典の有効期限を演算する有効期間演算手段と、
前記受信時間または前記有効期限に基づき前記特典を得るためのＩＤを算出するＩＤ算出手段と、
少なくとも前記有効期限を含む前記特典に関する情報を表示させる表示手段とを備えた第２装置である。
【００２６】
また、第１６の本発明は、前記ＩＤは、それに対して所定の演算を施すことにより前記受信時間または前記有効期限が逆算して得られるものである第１５の本発明の第２装置である。
【００２７】
また、第１７の本発明は、特典を付与する特定の番組の放送ならびに前記特典の応募期間を含む付加情報の放送を行う放送手段を有する第１装置から放送される、前記特定の番組ならびに前記付加情報を受信する第２装置であって、
前記放送を受信して、前記付加情報を記憶するメモリ手段と、
前記放送を受信して、前記特定の番組を記録する記録手段と、
前記記録された特定の番組が再生されているかどうかをチェックするチェック手段と、
前記チェックの結果、前記特定の番組を再生していると判断した場合は、その再生時間と前記メモリ手段に記憶された前記付加情報の応募期間とから、前記特典の有効期限を演算する有効期間演算手段と、
前記再生時間または前記有効期限に基づき前記特典を得るためのＩＤを算出するＩＤ算出手段と、
少なくとも前記有効期限を含む前記特典に関する情報を表示させる表示手段とを備えた第２装置である。
【００２８】
また、第１８の本発明は、前記ＩＤは、それに対して所定の演算を施すことにより前記再生時間または前記有効期限が逆算して得られるものである第１７の本発明の第２装置である。
【００２９】
また、第１９の本発明は、前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする第１７の本発明の第２装置である。
【００３０】
また、第２０の本発明は、前記表示手段は、前記ＩＤも表示させることができる第１５または第１７の本発明の第２装置である。
【００３１】
また、第２１の本発明は、特典を付与する特定の番組の放送ならびに前記特定の番組が放送されるチャンネルおよび時間帯と前記特典の応募期間とを含む付加情報の放送を行う放送工程と、
前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組配信方法である。
【００３２】
また、第２２の本発明は、前記ＩＤは、それに対して所定の演算を施すことにより前記受信時間または前記有効期限が逆算して得られるものである第２１の本発明の番組配信方法である。
【００３３】
また、第２３の本発明は、特典を付与する特定の番組の放送ならびに前記特典の応募期間を含む付加情報の放送を行う放送工程と、
前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法である。
【００３４】
また、第２４の本発明は、前記ＩＤは、それに対して所定の演算を施すことにより前記再生時間または前記有効期限が逆算して得られるものである第２３の本発明の番組配信方法である。
【００３５】
また、第２５の本発明は、特典を付与する特定の番組ならびに前記特典の応募期間を含む付加情報が記録された記録媒体を再生する再生工程と
前記特定の番組を再生した再生時間と前記応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法である。
【００３６】
また、第２６の本発明は、前記ＩＤは、それに対して所定の演算を施すことにより前記再生時間または前記有効期限が逆算して得られるものである第２５の本発明の番組再生方法である。
【００３７】
また、第２７の本発明は、特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組受信方法である。
【００３８】
また、第２８の本発明は、特典を付与する特定の番組の放送ならびに前記特典の応募期間を含む付加情報の放送を行う放送手段を有する第１装置からの前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法である。
【００３９】
また、第２９の本発明は、第２５の本発明の番組再生方法の、特典を付与する特定の番組ならびに前記特典の応募期間を含む付加情報が記録された記録媒体を再生する前記再生工程と、前記特定の番組を再生した再生時間と前記応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラムである。
【００４０】
また、第３０の本発明は、第２７の本発明の番組受信方法の、特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する前記記憶工程と、前記特定の番組が受信されているかどうかを、現在受信している番組のチャンネルと時間帯とが前記記憶された付加情報のチャンネルおよび時間帯と一致するかどうかでチェックする前記チェック工程と、前記チェックの結果、前記特定の番組を受信していると判断した場合は、その受信時間と前記記憶された付加情報の応募期間とから、前記特典の有効期限を演算する前記有効期間演算工程と、前記受信時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラムである。
【００４１】
また、第３１の本発明は、第２８の本発明の番組再生方法の、特典を付与する特定の番組の放送ならびに前記特典の応募期間を含む付加情報の放送を行う放送手段を有する第１装置からの前記放送を受信して、前記付加情報を記憶する前記記憶工程と、前記放送を受信して、前記特定の番組を記録する前記記録工程と、前記記録された特定の番組が再生されているかどうかをチェックする前記チェック工程と、前記チェックの結果、前記特定の番組を再生していると判断した場合は、その再生時間と前記記憶された付加情報の応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラムである。
【００４２】
また、第３２の本発明は、第２９から第３１のいずれかの本発明のプログラムを記録した記録媒体であって、コンピュータにより処理可能な記録媒体である。
【００４５】
以上のような本発明は、個々の視聴者に対し、それぞれの視聴時期に対応して広告情報等の特定の番組を提供することが可能なため、番組の付加価値が放送時期によって下がることがない。この収益は広告放送、表示を行う番組配信サービスが受益するにとどまらず、広告情報再生装置の製造者に配分しても良い。
【００４６】
【発明の実施の形態】
以下、本発明の実施の形態を、図面を参照して説明する。
【００４７】
（実施の形態１）
図１は、本発明の実施の形態１における番組配信システムの構成図である。図１において、番組配信システム１００は、番組および他の情報を放送する放送局１１０、放送局１１０からの信号を電波、有線等によって伝送されるテレビ１２０と、テレビ１２０と接続され、放送局１１０からの信号を受ける特典情報処理装置１３０とを備えている。
【００４８】
放送局１１０は、ＣＭや普通のコンテンツを含む番組、および文字情報等の付加情報を放送するものであり、番組を信号として放送するための放送手段１１１と、後述するＩＤを逆算処理するための逆算手段１１２とを備えている。
【００４９】
また、テレビ１２０は放送局１１０から放送される番組を受信し、視聴できるようにする手段であり、放送局からの信号を受信、処理するための受信部１２１と、放送を視聴可能に表示するための表示部１２２とを備えている。
【００５０】
次に、特典情報処理装置は、テレビ１２０に接続して用いる手段であり、テレビ１２０の受信部１２１と同様、放送局１１０からの信号を受け取り、その内容をチェックするチェック手段１３１と、チェック手段１３１のチェック結果に基づき有効期限を演算する有効期間演算手段１３２と、有効期限に基づき所定のＩＤを算出するＩＤ算出手段１３３、放送局１１０から受信した、番組以外の、後述するＣＭ付加情報を一時蓄積するメモリ手段１３４、およびメモリ手段１３４から読み出した情報を、テレビ１２０の表示部１２２へスーパーインポーズ表示させるための表示手段１３５とを備えている。
【００５１】
以上のような構成を有する、本発明の実施の形態における番組配信システムの動作について、以下に説明を行うとともに、これにより、本発明の第１装置、第２装置の動作、および本発明の番組配信方法の動作について説明を行う。ただし、以下の説明においては、放送局１１０は、地上波アナログ放送の形式で番組の放送を行うものとする。
【００５２】
はじめに、放送局１１０において、放送手段１１１はＣＭを放送する。このＣＭは、広告主が主催する懸賞付きキャンペーンと連動したものであり、視聴者は、ＣＭの内容に記載された所定の応募先に郵送もしくは電子メールにて応募を行うことにより、広告主から賞品を獲得することができるものである。ただし懸賞付きキャンペーンの情報自体はＣＭには含まれていない。また、ＣＭはその放映期間、放映開始の時期および放映終了の時期は予め定められているものとする。
【００５３】
また、本実施の形態において、懸賞付きキャンペーンの応募先は放送局１１０である。
【００５４】
また、放送局１１０は、上記のＣＭに先だって、ＣＭに連動した懸賞付きキャンペーンに関するＣＭ付加情報を放送する。この情報は、懸賞付きキャンペーンの内容、応募期間を含むとともに、ＣＭの放映期間、放映開始の時期、放映終了の時期、さらにＣＭが放送されるチャンネルに関する情報も含んでいる。
【００５５】
ＣＭ付加情報の送信方法は、テレビ放送において正規の番組放送（ＣＭを含む）の帰線期間において情報を挿入して送信すればよい。
【００５６】
また、ＣＭ付加情報の放送開始時期は、少なくともＣＭの最初の放送時間までであればよく、ＣＭがテレビ１２０にて視聴可能になった状態では、特典情報処理装置１３０側で処理可能な状態となっていればよい。また、ＣＭ付加情報は一度だけでなく、ＣＭの最初の放映時間までならば、何回送信しても良い。
【００５７】
一方、テレビ１２０側は、放送電波として初めにＣＭ付加情報を受信する。この内ＣＭ付加情報は、テレビ１２０では処理されず、特典情報処理装置１３０へ出力される。特典情報処理装置１３０は、テレビ１２０からＣＭ付加情報の入力を受けると、これをメモリ手段１３４に一時記録する。
【００５８】
次に、テレビ１２０は、ＣＭを受信する。受信されたＣＭは、受信部１２１にて処理され、表示部１２２で表示され、視聴者に視聴されるとともに、特典情報処理装置１３０へも送信される。
【００５９】
通常、特典情報処理装置１３０において、チェック手段１３１は、テレビ１２０のチャンネル設定と、図示しない内部時計とによって、テレビ１２０の受信部１２１が受信している番組のチャンネルと時間とをチェックしている。なお内部時計はテレビ１２０に内蔵されているものとしてもよい。
【００６０】
また、チェックは、先にメモリ手段１３４に一時記録したＣＭ付加情報を参照して行われ、この動作は、テレビ１２０が動作している間行われ、チェック手段１３１は、テレビ１２０の受信動作を、視聴者がテレビ１２０にて番組を視聴しているものと見なす。
【００６１】
テレビ１２０が、ＣＭ付加情報と関連づけられているＣＭを受信すると、チェック手段１３１は、メモリ手段１３４内のＣＭ付加情報を参照し、ＣＭの放送時間帯とチャンネルが、受信したＣＭの放送時刻およびチャンネルと一致していることを確認する。
【００６２】
次に、有効期間演算手段１３２は、チェック手段１３１の確認を受けて、現在ＣＭを受信している時刻を検出し、この時刻から応募期間を加算した、ＣＭ付加情報に記載された懸賞付きキャンペーンの応募締め切りまでの期間を有効期限として算出する。
【００６３】
次に、ＩＤ算出手段１３３は、有効期間演算手段１３２から有効期限を取得すると、これに基づきＩＤを算出する。このＩＤは、テレビ１２０が上記の時刻にＣＭを受信していることを、放送局１１０に対して証明するためのものである。なお、ＩＤ算出手段１３３は、有効期限の他に、ＣＭを受信している時刻から直接ＩＤを算出するようにしてもよい。
【００６４】
ＩＤ算出手段１３３がＩＤを生成すると、表示手段１３５は、メモリ手段１３４からＣＭ付加情報を読み出し、これから懸賞付きキャンペーンの内容を、特典情報として生成し、これと有効期間演算手段１３２にて算出された有効期限とＩＤとを画像信号として、テレビ１２０へ出力する。
【００６５】
テレビ１２０では、表示部１２２において、先に受信部１２１で受信したＣＭと、特典情報処理装置１３０から出力された特典情報、有効期限およびＩＤとを重ね合わせて表示する。テレビ１２０の視聴者には、表示部１２２に表示されているＣＭには、ＣＭに対応した懸賞付きキャンペーンが、その応募の締め切り、ＩＤとともに示される。
【００６６】
視聴者は、ＣＭに併せて表示された懸賞付きキャンペーンを見ると、そこの記載された要項に従って、郵便や電子メール等の手段を用いて、放送局１１０に懸賞応募を行う。このとき、応募事項には、テレビ１２０の表示部１２２に表示されたＩＤを写して、葉書や電子メールに記載しておく。
【００６７】
放送局１１０では、視聴者からの懸賞応募を受けると、そこに記載されたＩＤを逆算手段１１２にて処理し、ＩＤから視聴者がＣＭを視聴した時間を求め、これとＣＭの放映期間、時間帯とを照合し、視聴者が、放映されたＣＭを実際に視聴したかどうかを確認する。
【００６８】
ＩＤの確認が終了すると、放送局１１０は、従来と同様に懸賞の処理を行う。
【００６９】
以上の動作において、ＣＭに応じた懸賞付きキャンペーンは、懸賞付きキャンペーンの内容やその応募期間が、ＣＭ付加情報としてＣＭとは別に送信されており、テレビ１２０にＣＭが受信された時に、特典情報として初めて視聴者に提供されるようになっており、しかも有効期限はテレビ１２０にＣＭが受信された時点始めて設定されるようになっている。この様子を図２を用いて説明する。
【００７０】
図２に示すように、ＣＭの放送期間や開始時期、終了時期は従来と同じく一律に定められているが、ＣＭと連動した懸賞付きキャンペーンは、視聴者がＣＭを見た時点から始まって、一定の応募期間が定められる。したがって、応募締め切りは視聴者毎に異なることとなり、視聴者にとって懸賞付きキャンペーンに参加できる機会は、ＣＭの視聴時期に関わらず、全ての視聴者に公平に与えられている。
【００７１】
すなわち、視聴者は同一のＣＭを視聴するが、ＣＭに付加された特典情報の内容は、視聴者の視聴時刻によって異なることにより、特典情報の鮮度が一定に保たれ、ひいてはＣＭの付加価値が一定に保たれていることになる。
【００７２】
このように、本実施の形態による番組配信システムによれば、ＣＭに付加した特典情報をＣＭとは別個に放送し、視聴者がＣＭを視聴した時間に基づく内容として視聴者に表示するようにしたことにより、放映する番組の付加価値を、放映期間、時期によらず一定に保つことが可能となる。
【００７３】
なお、上記の実施の形態においては、番組配信システム１００により得られた特典情報に基づく懸賞付きキャンペーンの応募は、表示手段１３５によってテレビ１２０の表示部１２２に表示されたＩＤを写して葉書や電子メールに記載するものとして説明を行ったが、テレビ１２０にＩＤを表示することは、情報の秘匿性を保持する観点からは望ましくない。
【００７４】
そこで、図３に示す番組配信システム１００の他の構成例では、キャンペーンの応募のための手段として、特典情報処理装置１３０と接続して、インターネット等のネットワークを介して放送局１１０に電子メールを送信することが可能なネットワーク端末１４０を用いる。
【００７５】
このような構成例においては、ネットワーク端末１４０が、ＩＤ算出手段１３３からＩＤの入力を直接受けて一旦保持しておき、視聴者が懸賞付きキャンペーン応募のための電子メールを作成する際に、電子メール内にＩＤを自動的に挿入する。
【００７６】
したがって、表示手段１３５は、有効期間演算手段１３２が演算した有効期限およびメモリ手段１３４から読み出した特典情報のみをテレビ１２０の表示部に表示させればよく、ＩＤの表示を行うことなく特典情報を提供することができる。なお、ネットワーク端末１４０の実施例としては、インターネットに接続したパソコンでもよいし、携帯電話等の携帯情報端末でも良い。また、特典情報処理装置１３０自体がネットワークに接続して通信できる機能を有していても良い。さらに、ネットワークはインターネットに限らず、イントラネット他のローカルネットワークでもよいし、電話回線でも良い。要するに、ＣＭの伝送が行われる伝送路と別であればよい。
【００７７】
（実施の形態２）
図４は、本発明の実施の形態２における番組配信システムの構成図である。本実施の形態による番組配信システムは、デジタル放送において特典が付加された番組を放映し、これに対する応答が得られるようにしたものであり、得られる効果は実施の形態１と同様である。
【００７８】
図４において、番組配信システム４００は、番組および他の情報を放送するデジタル放送局４１０、デジタル放送局４１０からの信号を電波、有線等によって伝送されるセットトップボックス（以下ＳＴＢ）４３０と、ＳＴＢから出力されるＡＶ信号を表示するテレビ４２０とを備えている。
【００７９】
デジタル放送局４１０は、ＣＭや普通のコンテンツを含む番組、および文字情報等の付加情報を多重したデジタル放送のフォーマットにて放送するものであり、番組を信号として放送するための放送手段４１１と、後述するＩＤを逆算処理するための逆算手段４１２とを備えている。
【００８０】
また、テレビ４２０はＳＴＢ４３０から出力される放送のＡＶ信号を表示する手段であり、放送を視聴可能に表示するための表示部４２１を備えている。
【００８１】
次に、ＳＴＢ４３０は、デジタル放送を受信してテレビ４２０に表示させるための手段であり、デジタル放送局４１０からの信号を受信する受信部４３１と、受信部４３１が受信した放送の内容をチェックするチェック手段４３２と、チェック手段４３２のチェック結果に基づき有効期限を演算する有効期間演算手段４３３と、有効期限に基づき所定のＩＤを算出するＩＤ算出手段４３４、デジタル放送局４１０から受信した、番組以外の、後述するＣＭ付加情報を一時蓄積するメモリ手段４３５、およびメモリ手段４３５から読み出した情報を、テレビ４２０の表示部４２１へスーパーインポーズ表示させるための表示手段４３６、およびデジタル放送局４１０と双方向通信を行うための、視聴者からの入力が受付可能な入力手段４３７とを備えている。
【００８２】
以上のような構成を有する、本発明の実施の形態における番組配信システムの動作について、以下に説明を行うとともに、これにより、本発明の第１装置、第２装置の動作、および本発明の番組配信方法の動作について説明を行う。
【００８３】
はじめに、デジタル放送局４１０において、放送手段４１１はＣＭを放送する。このＣＭは、広告主が主催する懸賞付きキャンペーンと連動したものであり、視聴者は、ＣＭの内容に記載された応募先にＳＴＢ４３０の通信機能を用いて応募を行うことにより、広告主から賞品を獲得することができるものである。ただし懸賞付きキャンペーンの情報自体はＣＭには含まれていない。また、ＣＭはその放映期間、放映開始の時期および放映終了の時期は予め定められているものとする。また、本実施の形態において、懸賞付きキャンペーンの応募先はデジタル放送局４１０である。
【００８４】
また、デジタル放送局４１０は、上記のＣＭに先だって、ＣＭに連動した懸賞付きキャンペーンに関するＣＭ付加情報を放送する。この情報は、懸賞付きキャンペーンの内容、応募期間を含むとともに、ＣＭの放映期間、放映開始の時期、放映終了の時期、さらにＣＭが放送されるチャンネルに関する情報も含んでいる。
【００８５】
なお、ＣＭ付加情報の送信方法は、テレビ放送において正規の番組放送のプログラムストリームにＣＭ付加情報のストリームを挿入した多重化ストリームを送信すればよい。また、ＣＭ付加情報の放送開始時期は、少なくともＣＭの最初の放送時間までであればよく、ＳＴＢ４３０がＣＭを受信した状態で、処理可能な状態となっていればよい。また、ＣＭ付加情報は一度だけでなく、ＣＭの最初の放映時間までならば、何回送信しても良い。
【００８６】
一方、ＳＴＢ４３０側は、受信部４３１がプログラムストリームとして初めにＣＭ付加情報を受信すると、これをメモリ手段４３５に一時記録する。
【００８７】
次に、受信部４３１はＣＭを受信する。受信されたＣＭは、ＡＶ信号として表示手段４３６に出力され、表示手段４３６はこれをテレビ４２０の表示部４２１へ出力する。ＣＭは表示部４２１で表示される。
【００８８】
通常、ＳＴＢ４３０において、チェック手段４３２は、プログラムストリームの情報部分を参照して、受信部４３１が受信している番組のチャンネルと時間とをチェックしている。このとき、チェックは、先にメモリ手段４３５に一時記録したＣＭ付加情報を参照して行われ、この動作は、ＳＴＢ４３０が動作している間行われ、チェック手段４３２は、ＳＴＢ４３０の受信動作を、視聴者がテレビ４２０にて番組を視聴しているものと見なす。
【００８９】
次に受信部４３１が、ＣＭ付加情報と関連づけられているＣＭのプログラムストリームを受信すると、チェック手段４３２は、メモリ手段４３５内のＣＭ付加情報を参照し、ＣＭの放送時間帯とチャンネルが、受信したＣＭの放送時刻およびチャンネルと一致していることを確認する。
【００９０】
次に、有効期間演算手段４３３は、チェック手段４３２の確認を受けて、現在ＣＭを受信している時刻（これは本発明の視聴時間の一例であって、日、時間帯であってもよい）を検出し、この時刻から応募期間を加算した、ＣＭ付加情報に記載された懸賞付きキャンペーンの応募締め切りまでの期間を有効期限として算出する。
【００９１】
次に、ＩＤ算出手段４３４は、有効期間演算手段４３３から有効期限を取得すると、これに基づきＩＤを算出する。このＩＤは、テレビ４２０が上記の時刻にＣＭを受信していることを、デジタル放送局４１０に対して証明するためのものである。なお、ＩＤ算出手段４３４は、有効期限の他に、ＣＭを受信している時刻から直接ＩＤを算出するようにしてもよい。
【００９２】
ＩＤ算出手段４３４は、ＩＤを算出すると、これをメモリ手段４３５へ一時記憶する。
【００９３】
次に、表示手段４３６は、メモリ手段４３５からＣＭ付加情報を読み出し、これから懸賞付きキャンペーンの内容を特典情報として生成し、これと有効期間演算手段４３３にて算出された有効期限を画像信号として、先に受信部４３１で受信したＣＭを重ね合わせ、ＡＶ信号としてテレビ４２０へ出力する。
【００９４】
テレビ４２０では、特典情報、有効期限およびＣＭが同一画面に収まった画像を表示部４２１に表示する。
【００９５】
テレビ４２０の視聴者には、表示部４２１に表示されているＣＭには、ＣＭに対応した懸賞付きキャンペーンが、その応募の締め切りとも示される。
【００９６】
視聴者は、ＣＭに併せて表示された懸賞付きキャンペーンを読み、そこに記載された要項に従って、入力手段４３７を用いて、デジタル放送局４１０に懸賞応募のための応募情報を作成しデジタル放送局４１０へ送信する。このとき、入力手段４３７は、メモリ手段４３５に一時記憶されたＩＤを読み出し、応募情報に付加する。
【００９７】
デジタル放送局４１０では、ＳＴＢ４３０からの応募情報を受けると、そこに含まれるＩＤを逆算手段４１２にて処理し、ＩＤから視聴者がＣＭを視聴した時間を求め、これとＣＭの放映期間、時間帯とを照合し、視聴者が、放映されたＣＭを実際に視聴したかどうかを確認する。
【００９８】
ＩＤの確認が終了すると、デジタル放送局４１０は、従来と同様に懸賞の処理を行う。
【００９９】
実施の形態１と同様に本実施の形態においては、視聴者は同一のＣＭを視聴するが、ＣＭに付加された特典情報の内容は、視聴者の視聴時刻によって異なることにより、特典情報の鮮度が一定に保たれ、ひいてはＣＭの付加価値が一定に保たれていることになる。
【０１００】
このように、本実施の形態による番組配信システムによれば、実施の形態１と同様に、ＣＭに付加した特典情報をＣＭとは別個に放送し、視聴者がＣＭを視聴した時間に基づく内容として視聴者に表示するようにしたことにより、放映する番組の付加価値を、放映期間、時期によらず一定に保つことが可能となる。
【０１０１】
さらに、デジタル放送においてＳＴＢを利用してＣＭ付加情報を取得し、応募のメッセージを送信するようにしたことにより、テレビにＩＤを表示する必要がなく、情報の秘匿性も充分に保つことができる。
【０１０２】
（実施の形態３）
本発明の実施の形態３による情報配信システムは、実施の形態１の情報配信システムにおいて、ＣＭの送信元と、ＣＭ付加情報の送信元とが異なる構成としたものである。
【０１０３】
図５は、本実施の形態による情報配信システムの構成図である。図５に示す情報配信システム５００において、図１または図３と同一部または相当部には同一符号を付し、詳細な説明は省略する。また広告主５１０は、ネットワーク端末１４０とインターネットを介して通信を行う手段であり、実施の形態１の逆算手段１１２と同等の機能を有する逆算手段５１２と、ＣＭ付加情報を格納するＣＭ付加情報格納手段とを備えている。また広告主５１０側は、放送局１１０のＣＭの放映期間、放映開始の時期および放映終了の時期を定めており、これらの情報を予め知っているものとする。また、広告主５１０は、懸賞付きキャンペーンの応募先でもある。
【０１０４】
以上のような構成を有する、本実施の形態による情報配信システムの動作について、以下説明を行うとともに、これにより、本発明の第１装置、第２装置の動作、および本発明の番組配信方法の動作について説明を行う。ただし実施の形態１と同様の点は簡略にして、相違点を中心に述べる。
【０１０５】
広告主５１０は、放送局１１０がＣＭをテレビ１２０を放映するのに先だって、ＣＭ付加情報格納手段５１１に格納されたＣＭ付加情報をインターネットを介して接続されたネットワーク端末１４０に送信する。ネットワーク端末１４０は、ＣＭ付加情報を取得すると、これを特典情報処理装置１３０に転送し、特典情報処理装置１３０は、ＣＭ付加情報の入力を受けると、これをメモリ手段に格納しておく。
【０１０６】
このとき、ＣＭ付加情報の送信開始時期は、少なくともＣＭの最初の放送時間までであればよく、ＣＭがテレビ１２０にて視聴可能になった状態では、特典情報処理装置１３０側で処理可能な状態となっていればよい。また、ＣＭ付加情報は一度だけでなく、ＣＭの最初の放映時間までならば、何回送信しても良い。
【０１０７】
以後、放送局１１０からＣＭの放送が開始されてから、表示部１２２に特典情報および有効期限が表示されるまでの動作は、実施の形態１の図３に示す構成例と同様に行われる。
【０１０８】
最後に、視聴者は、ネットワーク端末１４０を用いて、視聴者が懸賞付きキャンペーン応募のための電子メールを作成する際に、電子メール内にＩＤを自動的に挿入して、電子メールを広告主５１０に送信する。
【０１０９】
広告主５１０は、視聴者からの懸賞応募を受けると、そこに記載されたＩＤを逆算手段５１２にて処理し、ＩＤから視聴者がＣＭを視聴した時間を求め、これとＣＭの放映期間、時間帯とを照合し、視聴者が、放映されたＣＭを実際に視聴したかどうかを確認し、従来と同様に懸賞の処理を行う。
【０１１０】
このように、本実施の形態による番組配信システムによれば、実施の形態１、２と同様に、ＣＭに付加した特典情報をＣＭとは別個に放送し、視聴者がＣＭを視聴した時間に基づく内容として視聴者に表示するようにしたことにより、放映する番組の付加価値を、放映期間、時期によらず一定に保つことが可能となる。
【０１１１】
さらに、ＣＭの放送元とは異なる第３者がＣＭ付加情報を送信するようにしたことにより、実際にＣＭを放送する主体と、ＣＭに関連する懸賞付きキャンペーンを行う主体とを別構成として実現し、役割分担を明確化することができる。
【０１１２】
なお、上記の実施の形態においてはネットワーク端末１４０の応募先となるのは広告主５１０であるとしたが、これは逆算手段を備えていれば、放送局１１０であってもよい。
【０１１３】
（実施の形態４）
図７は、本発明の実施の形態４における番組配信システムの構成図である。
【０１１４】
本実施の形態による番組配信システムは、デジタル放送において特典が付加された番組が放映されると、これを一時記録し、再生された時点を視聴時とみなし、応答が得られるようにしたものである。
【０１１５】
図７において、番組配信システム７００は、番組および他の情報を放送するデジタル放送局７１０、デジタル放送局７１０からの信号を電波、有線等によって受信するセットトップボックス（以下ＳＴＢ）７３０と、ＳＴＢ７３０が受信した信号を記録再生するＨＤＤレコーダ７４０，およびＳＴＢ７３０またはＨＤＤレコーダ７４０から出力されるＡＶ信号を表示するテレビ７２０とを備えている。
【０１１６】
デジタル放送局７１０は、ＣＭや普通のコンテンツを含む番組、および文字情報等の付加情報を多重したデータ放送等の放送を、デジタル放送のフォーマットにて放送するものであり、番組を信号として放送するための放送手段７１１と、後述するＩＤを逆算処理するための逆算手段７１２とを備えている。
【０１１７】
次に、ＨＤＤレコーダ７４０は、記録媒体であるハードディスク７４１と、ＳＴＢ７３０からデジタル放送のＡＶ信号の入力をうけ、これをハードディスク７４１に記録するとともに、ハードディスク７４１に記録されたＡＶ信号を再生し、ＳＴＢ７３０へ出力するための記録再生手段７４２とを備えている。また、記録再生手段７４２は、視聴者の制御により、任意の時間に記録または再生動作を行うことができる。
【０１１８】
次に、ＳＴＢ７３０は、デジタル放送をテレビ７２０に表示させるための手段であり、デジタル放送局７１０からの信号を受信する受信部７３１と、ＨＤＤレコーダ７４０から出力された放送の内容をチェックするチェック手段７３２と、チェック手段７３２のチェック結果に基づき有効期限を演算する有効期間演算手段７３３と、有効期限に基づき所定のＩＤを算出するＩＤ算出手段７３４、ＨＤＤレコーダ７４０から出力された、番組以外の、後述するＣＭ付加情報を一時蓄積するメモリ手段７３５、およびメモリ手段７３５から読み出した情報を、テレビ７２０の表示部７２１へスーパーインポーズ表示させるための表示手段７３６、およびデジタル放送局７１０と双方向通信を行うための、視聴者からの入力が受付可能な入力手段７３７とを備えている。
【０１１９】
また、テレビ７２０はＳＴＢ７３０から出力される放送のＡＶ信号を表示する手段であり、放送を視聴可能に表示するための表示部７２１を備えている。
【０１２０】
以上のような構成を有する、本発明の実施の形態４における番組配信システムの動作について、以下に説明を行うとともに、これにより、本発明の第１装置、第２装置の動作、および本発明の番組配信方法の動作について説明を行う。
【０１２１】
はじめに、デジタル放送局７１０において、放送手段７１１はＣＭを放送する。このＣＭは、広告主が主催する懸賞付きキャンペーンと連動したものであり、視聴者は、ＣＭの内容に記載された応募先にＳＴＢ７３０の通信機能を用いて応募を行うことにより、広告主から賞品を獲得することができるものである。ただし懸賞付きキャンペーンの情報自体はＣＭには含まれていない。また、ＣＭはその放映期間、放映開始の時期および放映終了の時期は予め定められているものとする。また、本実施の形態において、懸賞付きキャンペーンの応募先はデジタル放送局７１０である。
【０１２２】
また、デジタル放送局７１０は、上記のＣＭに先だって、ＣＭに連動した懸賞付きキャンペーンに関するＣＭ付加情報を放送する。このＣＭ付加情報は、懸賞付きキャンペーンの内容、応募期間を含むとともに、ＣＭの放映期間、放映開始の時期、放映終了の時期、さらにＣＭが放送されるチャンネルに関する情報も含んでいる。
【０１２３】
なお、ＣＭ付加情報の送信方法は、テレビ放送において正規の番組放送のプログラムストリームにＣＭ付加情報のストリームを挿入した多重化ストリームを送信すればよい。また、ＣＭ付加情報の放送開始時期は、少なくともＣＭの最初の放送時間までであればよく、ＨＤＤレコーダ７４０がＣＭを再生開始した状態で、処理可能な状態となっていればよい。また、ＣＭ付加情報は一度だけでなく、ＣＭの最初の再生時刻までならば、何回送信しても良い。
【０１２４】
一方、ＳＴＢ７３０側は、受信部７３１がプログラムストリームとして初めにＣＭ付加情報を受信すると、これをメモリ手段７３５に一時記録する。
【０１２５】
次に、受信部７３１はＣＭを受信する。受信されたＣＭは、ＡＶ信号として、ＨＤＤレコーダ７４０へ出力される。
【０１２６】
ＨＤＤレコーダ７４０は、ＣＭのＡＶ信号をハードディスク７４１に記録する。
【０１２７】
次に、視聴者は、所望の時間にＨＤＤレコーダ７４０を操作して、ハードディスク７４１に記録されたＣＭを再生する。再生されたＣＭのＡＶ信号は、表示手段７３６に出力され、表示手段７３６はこれをテレビ７２０の表示部７２１へ出力する。ＣＭは表示部７２１で表示される。
【０１２８】
通常、ＳＴＢ７３０において、チェック手段７３２は、プログラムストリームの情報部分を参照して、ＨＤＤレコーダ７４０から再生された番組のチャンネルをチェックし、再生時刻をチェックしている。このとき、チェックは、先にメモリ手段４３５に一時記録したＣＭ付加情報を参照して行われ、この動作は、ＳＴＢ７３０が動作している間行われ、チェック手段７３２は、ＨＤＤレコーダ７４０の再生動作を、視聴者がテレビ７２０にて番組を視聴しているものと見なす。
【０１２９】
次にＨＤＤレコーダ７４０が、ＣＭ付加情報と関連づけられているＣＭのプログラムストリームを再生すると、チェック手段７３２は、メモリ手段７３５内のＣＭ付加情報を参照し、ＣＭのチャンネルが、ＨＤＤレコーダ７４０から再生されているＣＭのチャンネルと一致し、またＣＭ付加情報に記載されたＣＭの放送期間が、ＨＤＤレコーダ７４３がＣＭを再生している時刻を含んでいることを確認する。
【０１３０】
次に、有効期間演算手段７３３は、チェック手段７３２の確認を受けて、ＨＤＤレコーダ７４０が現在ＣＭを再生している時刻（これは本発明の視聴時間の一例であって、日、時間帯であってもよい）を検出し、この時刻から応募期間を加算した、ＣＭ付加情報に記載された懸賞付きキャンペーンの応募締め切りまでの期間を有効期限として算出する。
【０１３１】
次に、ＩＤ算出手段７３４は、有効期間演算手段７３３から有効期限を取得すると、これに基づきＩＤを算出する。このＩＤは、テレビ７２０が上記の時刻にＣＭを表示していることを、デジタル放送局７１０に対して証明するためのものである。なお、ＩＤ算出手段７３４は、有効期限の他に、ＨＤＤレコーダ７４０がＣＭを再生開始した時刻から直接ＩＤを算出するようにしてもよい。
【０１３２】
ＩＤ算出手段７３４は、ＩＤを算出すると、これをメモリ手段７３５へ一時記憶する。
【０１３３】
次に、表示手段７３６は、メモリ手段７３５からＣＭ付加情報を読み出し、これから懸賞付きキャンペーンの内容を特典情報として生成し、これと有効期間演算手段７３３にて算出された有効期限を画像信号として、ＨＤＤレコーダ７４０から再生されたＣＭを重ね合わせ、ＡＶ信号としてテレビ７２０へ出力する。
【０１３４】
以後の動作は、実施の形態２の番組配信システムと同様に行われる。
【０１３５】
実施の形態２と同様に、本実施の形態においては、視聴者は同一内容のＣＭを視聴するが、ＣＭに付加された特典情報の内容は、視聴者の視聴時刻によって異なることにより、特典情報の鮮度が一定に保たれ、ひいてはＣＭの付加価値が一定に保たれていることになる。
【０１３６】
さらに、本実施の形態においては、放送されたＣＭを一旦ＨＤＤレコーダ７４０に記録しておき、それが再生された時刻を視聴時刻として、これに基づきＣＭの特典情報を生成するようにしたため、特典情報の鮮度を、視聴者の視聴時刻に基づいて定めることができ、ＣＭの付加価値をより公平に保つことができる。
【０１３７】
なお、上記の実施の形態においては、実施の形態２をベースにデジタル放送をＨＤＤレコーダによって一時記録するものとして説明を行ったが、ＨＤＤレコーダの代わりにＶＴＲ、光ディスク等の記録媒体を用いた他の記録再生装置を用いてもよい。また、実施の形態１をベースに、アナログ放送を一時記録するものとして実施してもよい。
【０１３８】
（実施の形態５）
図８は、本発明の実施の形態５における番組再生装置の構成図である。
【０１３９】
本実施の形態による番組再生装置は、ＤＶＤ等の記録媒体において特典が付加された番組コンテンツが再生されると、これを一時記録し、再生された時点を視聴時刻とみなし、これに基づく応答が得られるようにしたものである。
【０１４０】
図８において、番組再生装置８１０は、ＤＶＤ８１１を再生する再生部８１２を有する再生ブロック８１９、再生ブロック８１９から出力された番組コンテンツの内容をチェックするチェック手段８１３、チェック手段８１３のチェック結果に基づき有効期限を演算する有効期間演算手段８１４、有効期限に基づき所定のＩＤを算出するＩＤ算出手段８１５、再生ブロック８１９から出力された、番組以外の、後述するＣＭ付加情報を一時蓄積するメモリ手段８１６、およびメモリ手段８１６から読み出した情報を、テレビ８２０の表示部８２１へスーパーインポーズ表示させるための表示手段８１７、およびＤＶＤ８１１内の番組コンテンツ提供先８３０と双方向通信を行うための、視聴者からの入力が受付可能な入力手段８１８とを備えている。
【０１４１】
番組コンテンツ提供先８３０は、ＤＶＤ８１１に記録された番組を提供しているものであり、後述するＩＤを逆算処理するための逆算手段８３１を備えている。
【０１４２】
また、テレビ８２０は番組再生装置８１０から出力される番組コンテンツのＡＶ信号を表示する手段であり、番組コンテンツを視聴可能に表示するための表示部８２１を備えている。
【０１４３】
以上のような構成を有する、本発明の実施の形態５における番組配信システムの動作について、以下に説明を行うとともに、これにより、本発明の番組配信方法の動作について説明を行う。
【０１４４】
はじめに、ＤＶＤ８１１においては、プログラムストリームである番組コンテンツとして、通常のコンテンツの他に、番組コンテンツ提供先８３０が制作したＣＭが記録されているものとする。このＣＭは、広告主が主催する懸賞付きキャンペーンと連動したものであり、番組再生装置８１０の利用者は、ＣＭの内容に記載された応募先に入力手段８１８を用いて電子メールにて応募を行うことにより、広告主から賞品を獲得することができるものである。ただし懸賞付きキャンペーンの情報自体はＣＭには含まれていない。また、ＣＭはその有効期間の長さ、有効期間の開始時期および有効期間終了の時期は予め定められているものとする。また、本実施の形態において、懸賞付きキャンペーンの応募先は番組コンテンツ提供先８３０である。
【０１４５】
また、ＤＶＤ８１１においては、ＣＭの他に、ＣＭに連動した懸賞付きキャンペーンに関するＣＭ付加情報が記録されている。このＣＭ付加情報は、懸賞付きキャンペーンの内容、応募期間を含むとともに、ＣＭの有効期間の長さ、有効期間の開始時期および有効期間終了の時期に関する情報も含んでいる。
【０１４６】
なお、ＣＭ付加情報の再生時期は、少なくともＣＭの最初の再生時刻までであればよく、再生ブロック８１９がＣＭを再生開始した状態で、処理可能な状態となっていればよい。また、ＣＭ付加情報は一度だけでなく、ＣＭの最初の再生時刻までならば、何回再生ブロックから再生されていても良い。
【０１４７】
一方、ＤＶＤ８１１側は、再生ブロック８１９に最初にＤＶＤ８１１が再生可能な状態で格納されると、再生部８１２はＣＭ付加情報だけを自動的に再生し、これをメモリ手段８１６に一時記録する。このとき、ＣＭ付加情報の再生は、ＤＶＤ８１１が格納されることをトリガとして行ってもよいし、ＤＶＤ８１１の番組コンテンツの再生時に行われるようにしてもよい。
【０１４８】
次に、再生部８１２はＤＶＤ８１１から通常の番組コンテンツを再生する。再生されたＣＭは、ＡＶ信号として、表示手段８１７に出力され、表示手段８１７はこれをテレビ８２０の表示部８２１へ出力する。ＣＭは表示部８２１で表示される。
【０１４９】
チェック手段８１３は、再生ブロック８１９が番組コンテンツの再生を行う再生時間をチェックする。このとき、チェックは、先にメモリ手段８１６に一時記録したＣＭ付加情報を参照して行われ、この動作は、番組再生装置８１０が動作している間行われ、チェック手段８１３は、再生ブロック８１９の再生動作を、視聴者がテレビ８２０にて番組を視聴しているものと見なす。
【０１５０】
次に再生ブロック８１９が、ＣＭ付加情報と関連づけられているＣＭの番組コンテンツを再生すると、チェック手段８１３は、メモリ手段８１６内のＣＭ付加情報を参照し、ＣＭ付加情報に記載されたＣＭの有効期間が、再生ブロック８１９がＣＭを再生している時刻を含んでいることを確認する。
【０１５１】
次に、有効期間演算手段８１４は、チェック手段８１３の確認を受けて、再生ブロック８１９が現在ＣＭを再生している時刻（これは本発明の視聴時間の一例であって、日、時間帯であってもよい）を検出し、この時刻から応募期間を加算した、ＣＭ付加情報に記載された懸賞付きキャンペーンの応募締め切りまでの期間を有効期限として算出する。
【０１５２】
次に、ＩＤ算出手段８１５は、有効期間演算手段８１４から有効期限を取得すると、これに基づきＩＤを算出する。このＩＤは、テレビ８２０が上記の時刻にＣＭを再生していることを、番組コンテンツ提供先８３０に対して証明するためのものである。なお、ＩＤ算出手段８１５は、有効期限の他に、再生ブロック８１９がＣＭを再生開始した時刻から直接ＩＤを算出するようにしてもよい。
【０１５３】
ＩＤ算出手段４３４は、ＩＤを算出すると、これをメモリ手段８１６へ一時記憶する。
【０１５４】
次に、表示手段８１７は、メモリ手段８１６からＣＭ付加情報を読み出し、これから懸賞付きキャンペーンの内容を特典情報として生成し、これと有効期間演算手段８１４にて算出された有効期限を画像信号として、再生ブロック８１９から再生されたＣＭを重ね合わせ、ＡＶ信号としてテレビ８２０へ出力する。
【０１５５】
以後の動作は、実施の形態２の番組配信システムと同様に行われる。
【０１５６】
実施の形態２と同様に、本実施の形態においては、視聴者は、それぞれの有するＤＶＤ８１１から同一内容のＣＭを視聴するが、ＣＭに付加された特典情報の内容は、ＤＶＤ８１１の再生時刻、すなわち視聴者の視聴時刻によって異なることにより、特典情報の鮮度が一定に保たれ、ひいてはＣＭの付加価値が一定に保たれていることになる。なお、上記の説明においては本発明の記録媒体の一例にしてＤＶＤ８１１を用いたが、他の光ディスク、光磁気ディスクまたは半導体メモリ、もしくはハードディスクのような磁気記録媒体であってもよい。
【０１５７】
なお、上記の各実施の形態において、視聴者が応募の電子メールや郵便、応募情報を送信する先（放送局１１０，デジタル放送局４１０、７１０，広告主５１０、番組コンテンツ提供先８３０）は逆算手段１１２，５１２等を必ず有しているものとして説明を行ったが、応募先または送信は必ずしも逆算手段を備えている必要はなく、応募先または送信先が一端視聴者からの応募の電子メールや郵便、応募情報を集計した後、逆算手段を有する第３者の機関に転送して、ＩＤの照合を行ってもらうようにしてもよい。すなわち、逆算手段は別構成としておいてもよい。
【０１５８】
また、システム全体から逆算手段を省略して、ＩＤの照合を省略した番組配信方法として実現してもよい。
【０１５９】
また、表示手段１３５，４３６，７３６は、ＩＤの表示を省略して、有効期限と特典に関する情報だけを表示するようにしてもよし、さらに特典に関する情報だけを表示するようにしてもよい。
【０１６０】
なお、上記の説明において、特典情報処理装置１３０、ＳＴＢ４３０、７３０は本発明の第１装置の一例であり、放送局１１０、デジタル放送局４１０、７１０は本発明の第２装置の一例である。さらにＣＭは本発明の、特典を付与する特定の番組の一例であり、ＣＭ付加情報および特典情報は、本発明の特典に関する情報の一例であり、ＣＭ付加情報は、特典を付与する特定の番組が行われるチャンネルおよび時間の情報の一例であり、有効期間演算手段が処理する現在ＣＭを受信している時刻は、本発明の視聴時間の一例である。
【０１６１】
ただし、本発明の構成は、上記の実施の形態に限定されるものではなく、本発明の第２装置は、放送局１１０と特典情報処理装置１３０との両方にまたがって実現しても良い。すなわち、放送局１１０が、本発明の第２装置の一部を兼ねて、チェック手段、有効期間演算手段、ＩＤ算出手段を備え、特典情報処理装置１３０は本発明の第２装置の表示手段だけを有する構成として実現しても良い。
【０１６２】
また、本発明の第２装置は、特典を付与する特定の番組を受信できる装置に組み込んで動作するようにしてもよい。そのような装置の例としては、テレビ、インターネットに接続可能なパソコン、携帯情報端末等が用いられる。
【０１６３】
また、本発明の特典を付与する特定の番組は、ＣＭに限らず、映画やドラマといった番組であってもよい。また、特典情報は映像信号に限らず、音声情報や文字情報として表示されるようにしてもよい。
【０１６４】
また、特典は、懸賞に限定されるものではなく、商品、プレゼント、サービス、キャッシュバック、有価ポイントの贈与などであってもよい。
【０１６５】
また、本発明の視聴時間は、時刻に限らず、単数または複数の日や特定の範囲の時間帯、一週間といった時間単位であってもよい。
【０１６６】
また、本発明は、上述した本発明の番組配信システム、第２装置および番組再生装置の全部または一部の手段（または、装置、素子、回路、部等）の機能をコンピュータにより実行させるためのプログラムであって、コンピュータと協働して動作するプログラムである。
【０１６７】
また、本発明は、上述した本発明の番組配信システム、第２装置および番組再生装置の全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体である。
【０１６８】
なお本発明の一部の手段（又は、装置、素子、回路、部等）とは、それらの複数の手段又はステップの内の、幾つかの手段を意味し、あるいは、一つの手段の内の、一部の機能を意味するものである。
【０１６９】
また、本発明の一部の装置（又は、素子、回路、部等）とは、それらの複数の装置の内の、幾つかの装置を意味し、あるいは、一つの装置の内の、一部の手段（又は、素子、回路、部等）を意味し、あるいは、一つの手段の内の、一部の機能を意味するものである。
【０１７０】
また、本発明のプログラムを記録した、コンピュータに読みとり可能な記録媒体も本発明に含まれる。
【０１７１】
また、本発明のプログラムの一利用形態は、コンピュータにより読み取り可能な記録媒体に記録され、コンピュータと協働して動作する態様であっても良い。
【０１７２】
また、本発明のプログラムの一利用形態は、伝送媒体中を伝送し、コンピュータにより読みとられ、コンピュータと協働して動作する態様であっても良い。
【０１７３】
また、上述した本発明のコンピュータは、ＣＰＵ等の純然たるハードウェアに限らず、ファームウェアや、ＯＳ、更に周辺機器を含むものであっても良い。
【０１７４】
記録媒体としては、ＲＯＭ等が含まれ、伝送媒体としては、光ファイバやインターネット等の伝送機構、光・電波・音波等が含まれる。
【０１７５】
なお、以上説明した様に、本発明の構成は、ソフトウェア的に実現しても良いし、ハードウェア的に実現しても良い。
【０１７６】
【発明の効果】
以上、説明したように、本発明によれば、視聴時間が異なる同一の番組を視聴する個々の視聴者に対して、番組の付加価値を公平に保つことが可能な番組配信システム等が得られる。
【図面の簡単な説明】
【図１】本発明の実施の形態１における番組配信システムの構成を示す図である。
【図２】本発明の実施の形態１における番組配信システムの効果を説明するための図である。
【図３】本発明の実施の形態１における番組配信システムの他の構成例を示す図である
【図４】本発明の実施の形態２における番組配信システムの構成を示す図である。
【図５】本発明の実施の形態３における番組配信システムの構成を示す図である。
【図６】従来の技術におけるＣＭの宣伝効果を説明するための図である。
【図７】本発明の実施の形態４における番組配信システムの構成を示す図である。
【図８】本発明の実施の形態５における番組再生装置の構成を示す図である。
【符号の説明】
１００  番組配信システム
１１０  放送局
１１１  放送手段
１１２  逆算
１２０  テレビ
１２１  受信部
１２２  表示部
１３０  特典情報処理手段
１３１  チェック手段
１３２  有効期間演算手段
１３３  ＩＤ算出手段
１３４  メモリ手段
１３５  表示手段
【図１】
0004576075.tif 000002
【図２】
0004576075.tif 000003
【図３】
0004576075.tif 000004
【図４】
0004576075.tif 000005
【図５】
0004576075.tif 000006
【図６】
0004576075.tif 000007
【図７】
0004576075.tif 000008
【図８】
0004576075.tif 000009